(57)【要約】【課題】  自動焦点調節の補助光の照射によりストロボ装置のコンデンサの充電電圧が低下した場合であっても、適切なストロボ撮影を可能にする。【解決手段】  コンデンサに充電された電気エネルギーを用いて発光する発光手段と、前記コンデンサの充電電圧を検出する充電電圧検出手段と、被写体の焦点検出を行う焦点検出手段と、前記充電電圧検出手段により検出された前記コンデンサの充電電圧が所定電圧以上の場合に前記発光手段の発光を許可する発光制御手段と、を有し、前記発光制御手段は、前記焦点検出のための発光を許可する場合には前記所定電圧として第１の所定電圧を設定し、撮影のための発光を許可する場合には前記所定電圧として前記第１の所定電圧より低い電圧である第２の所定電圧を設定する。【選択図】  図３
2010175622.tif 000002
【特許請求の範囲】
【請求項１】
コンデンサに充電された電気エネルギーを用いて発光する発光手段と、
前記コンデンサの充電電圧を検出する充電電圧検出手段と、
被写体の焦点検出を行う焦点検出手段と、
前記充電電圧検出手段により検出された前記コンデンサの充電電圧が所定電圧以上の場合に前記発光手段の発光を許可する発光制御手段と、を有し、
前記発光制御手段は、前記焦点検出のための発光を許可する場合には前記所定電圧として第１の所定電圧を設定し、撮影のための発光を許可する場合には前記所定電圧として前記第１の所定電圧より低い電圧である第２の所定電圧を設定することを特徴とする撮像装置。
【請求項２】
前記発光制御手段は、前記焦点検出のための発光を行うまでの間に前記所定電圧として前記第１の所定電圧を設定し、前記焦点検出のための発光を行ったあとに前記所定電圧として前記第２の所定電圧を設定することを特徴とする請求項１に記載の撮像装置。
【請求項３】
前記焦点検出のための発光を行うか否かを判断する判断手段を有し、
前記発光制御手段は、前記判断手段により前記焦点検出のための発光を行わないと判断された場合、前記所定電圧として前記第２の所定電圧を設定することを特徴とする請求項１または２に記載の撮像装置。
【請求項４】
自動で焦点調節を行うモードと手動で焦点調節を行うモードを備えていて、
前記判断手段は、前記手動で焦点調節を行うモードが設定されている場合に前記焦点検出のための発光を行わないと判断することを特徴とする請求項３に記載の撮像装置。
【請求項５】
前記自動で焦点調節を行うモードには、撮影準備動作を行っている間に前記焦点検出を一度行う第１の制御モードと、前記撮影準備動作を行っている間に前記焦点検出を繰り返し行う第２の制御モードがあって、
前記判断手段は、前記第２の制御モードが設定されている場合に前記焦点検出のための発光を行わないと判断することを特徴とする請求項４に記載の撮像装置。
【請求項６】
前記被写体の輝度を求める測光手段を有し、
前記判断手段は、前記測光手段の測光結果に基づいて、前記焦点検出のための発光を行うか否かを判断することを特徴とする請求項３に記載の撮像装置。
【請求項７】
前記第１の所定電圧は、前記第２の所定電圧に前記焦点検出のための発光による前記コンデンサの電圧降下量以上の電圧が加算された電圧であることを特徴とする請求項１ないし６のいずれか１項に記載の撮像装置。
【請求項８】
前記第２の所定電圧は、撮影のための予備発光を許可する場合に前記所定電圧として設定される電圧であって、
前記発光制御手段は、撮影のための本発光を許可する場合には前記所定電圧として前記第２の所定電圧より低い電圧である第３の所定電圧を設定することを特徴とする請求項１ないし７のいずれか１項に記載の撮像装置。
【請求項９】
前記発光制御手段は、前記予備発光を行ったあとに前記所定電圧として前記第３の所定電圧を設定することを特徴とする請求項８に記載の撮像装置。
【請求項１０】
前記第２の所定電圧は、前記第３の所定電圧に前記予備発光による前記コンデンサの電圧降下量以上の電圧が加算された電圧であり、前記第３の所定電圧は、前記本発光による前記コンデンサの電圧降下量以上の電圧であることを特徴とする請求項８または９に記載の撮像装置。
【請求項１１】
前記発光制御手段は、前記判断手段により前記焦点検出のための発光を行うと判断され、かつ、前記予備発光を行わない場合、前記焦点検出のための発光を行うまでの間に前記第１の所定電圧より低く前記第３の所定電圧よりも高い第４の所定電圧を設定することを特徴とする請求項８ないし１０のいずれか１項に記載の撮像装置。
【請求項１２】
前記第４の所定電圧は、前記第３の所定電圧に前記焦点検出のための発光による前記コンデンサの電圧降下量以上の電圧が加算された電圧であることを特徴とする請求項１１に記載の撮像装置。
【請求項１３】
コンデンサに充電された電気エネルギーを用いて発光する発光手段と、
前記コンデンサの充電電圧を検出する充電電圧検出手段と、
被写体の焦点検出を行う焦点検出手段と、
前記充電電圧検出手段により検出された前記コンデンサの充電電圧が所定電圧以上の場合に前記発光手段の発光を許可する発光制御手段と、を有し、
前記発光制御手段は、前記焦点検出のための発光を許可する場合には前記所定電圧として第１の所定電圧を設定し、撮影のための予備発光を許可する場合には前記所定電圧として前記第１の所定電圧より低い電圧である第２の所定電圧を設定し、撮影のための本発光を許可する場合には前記所定電圧として前記第２の所定電圧より低い電圧である第３の所定電圧を設定することを特徴とする撮像装置。
【請求項１４】
撮像装置に着脱可能なストロボ装置であって、
コンデンサに充電された電気エネルギーを用いて発光する発光手段と、
前記コンデンサの充電電圧を検出する充電電圧検出手段と、
前記充電電圧検出手段により検出された前記コンデンサの充電電圧が所定電圧以上の場合に前記発光手段の発光を許可する発光制御手段と、を有し、
前記発光制御手段は、装着された撮像装置による焦点検出のための発光を許可する場合には前記所定電圧として第１の所定電圧を設定し、前記装着された撮像装置による撮影のための発光を許可する場合には前記所定電圧として前記第１の所定電圧より低い電圧である第２の所定電圧を設定することを特徴とするストロボ装置。
【請求項１５】
撮像装置とストロボ装置とを有するストロボ撮影システムであって、
コンデンサに充電された電気エネルギーを用いて発光する発光手段と、
前記コンデンサの充電電圧を検出する充電電圧検出手段と、
被写体の焦点検出を行う焦点検出手段と、
前記充電電圧検出手段により検出された前記コンデンサの充電電圧が所定電圧以上の場合に前記発光手段の発光を許可する発光制御手段と、を有し、
前記発光制御手段は、前記焦点検出のための発光を許可する場合には前記所定電圧として第１の所定電圧を設定し、撮影のための発光を許可する場合には前記所定電圧として前記第１の所定電圧より低い電圧である第２の所定電圧を設定することを特徴とするストロボ撮影システム。
【発明の詳細な説明】
【技術分野】
【０００１】
本発明は、撮像装置の自動焦点調節の補助光としてストロボ光を用いるストロボ撮影システムに関するものである。
【背景技術】
【０００２】
従来、自動焦点調節機能を有する撮像装置、特に位相差検出方法により自動焦点検出を行う撮像装置において、被写体の明るさが不足した場合やコントラストが不足した場合などに、焦点検出のために被写体に対して補助光を照射するものが知られている。この補助光を照射するための光源としてストロボ装置を閃光発光させて必要な明るさを得るものが特許文献１などで提案されている。
【特許文献１】特開２０００−１１１７９１号公報
【発明の開示】
【発明が解決しようとする課題】
【０００３】
しかしながら、自動焦点調節のための補助光が必要な場合、ストロボ装置を閃光発光させるためストロボ装置のコンデンサの充電電圧が低下する。そのため、充電電圧が所定電圧以上でなければ閃光発光が許可されないストロボ装置では、補助光発光により充電電圧が所定電圧未満になった場合には、補助光発光後に充電電圧が所定電圧に達するまで閃光発光を伴う撮影ができないという問題がある。一方、充電電圧が所定電圧未満であっても閃光発光させるストロボ装置では、必要とする発光量で閃光発光されずに撮影を行うことで適正露光の撮影ができないという問題である。
【０００４】
本発明は上記問題点を鑑みてなされたものであり、自動焦点調節の補助光の照射によりストロボ装置のコンデンサの充電電圧が低下した場合であっても、適切なストロボ撮影が行えることを目的とする。
【課題を解決するための手段】
【０００５】
本発明にかかる撮像装置は、コンデンサに充電された電気エネルギーを用いて発光する発光手段と、前記コンデンサの充電電圧を検出する充電電圧検出手段と、被写体の焦点検出を行う焦点検出手段と、前記充電電圧検出手段により検出された前記コンデンサの充電電圧が所定電圧以上の場合に前記発光手段の発光を許可する発光制御手段と、を有し、前記発光制御手段は、前記焦点検出のための発光を許可する場合には前記所定電圧として第１の所定電圧を設定し、撮影のための発光を許可する場合には前記所定電圧として前記第１の所定電圧より低い電圧である第２の所定電圧を設定することを特徴とする。
【０００６】
また、本発明にかかるストロボ装置は、撮像装置に着脱可能なストロボ装置であって、コンデンサに充電された電気エネルギーを用いて発光する発光手段と、前記コンデンサの充電電圧を検出する充電電圧検出手段と、前記充電電圧検出手段により検出された前記コンデンサの充電電圧が所定電圧以上の場合に前記発光手段の発光を許可する発光制御手段と、を有し、前記発光制御手段は、装着された撮像装置による焦点検出のための発光を許可する場合には前記所定電圧として第１の所定電圧を設定し、前記装着された撮像装置による撮影のための発光を許可する場合には前記所定電圧として前記第１の所定電圧より低い電圧である第２の所定電圧を設定することを特徴とする。
【０００７】
また、本発明にかかるストロボ撮影システムは、撮像装置とストロボ装置とを有するストロボ撮影システムであって、コンデンサに充電された電気エネルギーを用いて発光する発光手段と、前記コンデンサの充電電圧を検出する充電電圧検出手段と、被写体の焦点検出を行う焦点検出手段と、前記充電電圧検出手段により検出された前記コンデンサの充電電圧が所定電圧以上の場合に前記発光手段の発光を許可する発光制御手段と、を有し、前記発光制御手段は、前記焦点検出のための発光を許可する場合には前記所定電圧として第１の所定電圧を設定し、撮影のための発光を許可する場合には前記所定電圧として前記第１の所定電圧より低い電圧である第２の所定電圧を設定することを特徴とする。
【発明の効果】
【０００８】
本発明によれば、自動焦点調節の補助光の照射によりストロボ装置のコンデンサの充電電圧が低下した場合であっても、適切なストロボ撮影が行うことができる。
【発明を実施するための最良の形態】
【０００９】
以下、添付図面を参照して本発明を実施するための最良の形態について説明する。
【００１０】
（第１の実施の形態）
図１は、本発明にかかる実施の形態における撮像装置と該撮像装置に着脱可能なストロボ装置により構成されるストロボ撮影システムのブロック図である。
【００１１】
１００は、本実施の形態における撮像装置としてのデジタルカメラを示す。１０１は複数のレンズ群で構成されるデジタルカメラ本体に着脱可能なレンズユニットである。レンズユニット１０１は、カメラマイコン１２６と通信し、レンズユニット１０１内部のレンズ制御回路１０１ａを制御し、レンズユニット１０１内のフォーカシングレンズを移動させる事により焦点を合わせる。また、デジタルカメラ１００が自動でフォーカスを合わせるオートフォーカスモードと撮影者が手動でフォーカスを合わせるマニュアルフォーカスモードを選択するための操作スイッチ（不図示）も含まれる。フォーカスレンズの移動量は測距回路１１７の出力に基づき制御される。レンズユニット１０１内には絞り制御回路１０１ｂが設けられ、光学的な絞り値を変化させる。１０２はクイックリターンミラーであり撮影光路中に配置されレンズユニット１０１からの被写体光をファインダ光学系（不図示）に導く位置と撮影光路外に退避する位置との間で移動可能である。１０３はシャッタ、１０４は、防塵ガラスで覆われた光学フィルタである。１０５は、光学像を電気信号に変換する撮像素子、１０６は撮像素子１０５のアナログ信号出力をディジタル信号に変換するＡ／Ｄ変換器である。１０７は画像処理回路であり、Ａ／Ｄ変換器１０６からの画像データ、あるいはメモリ制御回路１１１からの画像データに対して、画像データに付加されている処理データに基づき、所定の画素補間処理や現像処理などを行う。１０８はタイミング発生回路であって、撮像素子１０５、Ａ／Ｄ変換器１０６に対してクロック信号や制御信号を供給する。このタイミング発生回路１０８は、後述するメモリ制御回路１１１及びカメラマイコン１２６により制御されている。１１１はメモリ制御回路であり、Ａ／Ｄ変換器１０６、画像処理回路１０７、タイミング発生回路１０８、画像表示メモリ１１２、メモリ１１３、圧縮／伸長回路１１４を制御する。
【００１２】
Ａ／Ｄ変換器１０６の出力データは、画像処理回路１０７、メモリ制御回路１１１を介して、画像表示メモリ１１２あるいはメモリ１１３に書き込まれる。１１０はＬＣＤ等から成る表示部であり、画像表示メモリ１１２に書き込まれた表示用の画像データは表示制御回路１０９により表示部１１０に表示される。
【００１３】
この表示部１１０は、主にデジタルカメラ１００の背面部分に配置され、撮影者に対して操作を促すメニュー画面や画像ファイルの再生画像を表示する。また、表示部１１０は、撮像素子１０５からの出力を画像処理回路１０７により処理した画像データを逐次表示することで、ファインダとして撮影画面を表示することも可能である。したがって、撮影者は、表示部１１０にて被写体のフレーミングを確認しながら撮影を行うことが可能である。１１３はメモリであり、画像処理回路１０７にて画像データを現像処理する際に使用する処理データや、ＡＦ（オートフォーカス）／ＡＥ（自動露出）／ＷＢ（ホワイトバランス）の演算結果の保持をする。さらに、撮影した非圧縮の画像データの一時格納するイメージバッファとしての領域、一時的に使用するデータを記憶するワークバッファとしての領域、圧縮／伸長回路１１４て圧縮された圧縮画像データを格納するファイルバッファとしての領域等を含む。さらにメモリ１１３は、所定枚数の静止画像や所定時間の動画像を格納するのに十分な記憶容量を備えている。これにより、複数枚の静止画像を連続して撮影する連写撮影の場合であっても、メモリ１１３に対して高速かつ大量の画像書き込みを行うことが可能となる。
【００１４】
１１４は適応離散コサイン変換（ＡＤＣＴ）等により画像データをＪＰＥＧデータとして圧縮伸長する圧縮／伸長回路であり、メモリ１１３に格納された画像データを読み込んで圧縮処理あるいは伸長処理を行い、処理を終えたデータをメモリ１１３に書き込む。１１５はシャッタ１０３を制御するシャッタ制御回路である。１１６はクイックリターンミラーを撮影光路内外に駆動制御するミラー制御回路である。１１７は測距制御回路であって、本実施形では、焦点検出センサ（不図示）の出力に基づき、公知の位相差方式に基づき焦点検出を行うものであって、検出結果に基づきレンズユニット１０１のフォーカシングレンズを制御する。１１８は測光制御回路であり被写体の輝度を測定しその出力により露出を制御する。
【００１５】
次に、各操作部材について説明する。１２０、及び１２１は、カメラマイコン１２６の各種の動作指示を入力するための操作部材であり、各種ボタンスイッチやダイアル、タッチパネル等により構成される。ここで、これらの操作部材を具体的に説明する。
【００１６】
１２０はレリーズスイッチであり、レリーズボタンの半押し（ＳＷ１）でオンとなるスイッチを含み、ＡＦ処理、ＡＥ処理等の撮影準備動作の開始を指示する。さらにレリーズスイッチ１２０には、レリーズボタンの全押し（ＳＷ２）でオンとるスイッチを含み、撮像素子１０５から読み出した信号をＡ／Ｄ変換器１０６、メモリ制御回路１１１を介てメモリ１１３に画像データを書き込む撮像処理を行う。続いて、画像処理回路１０７を用いて画像データに対して設定されているホワイトバランスモードに応じた、ホワイトバランス補正処理、現像処理、メモリ１１３から現像された画像データを読み出し、圧縮／伸長回路１１４で圧縮を行う。続いて記録媒体に画像データを書き込む記録処理という一連の処理の動作開始を指示する。１２１は、メニュー操作スイッチであり、不図示のメニューキー、セットキー、十字キー、再生キーなどで構成される。カメラの撮影条件や現像条件やなどの各種設定の変更の選択、画像ファイルの再生指示などの各種操作を表示部１１０に表示される画面表示を見ながら行うことができる。さらにオートフォーカスの制御モード（以下、ＡＦ制御モード）として、本実施の形態では、複数のＡＦ制御モードが選択できる。例えば、レリーズスイッチ１２０の操作により焦点検出を一度行うワンショットＡＦモード（第１の制御モード）と、レリーズスイッチが押されている間、動体の被写体に対して焦点検出を繰り返し行うＡＩサーボＡＦモード（第２の制御モード）などである。その他、ワンショットＡＦモードで焦点検出後、被写体が動体であると判断すると自動でＡＩサーボＡＦモードに切り替わるＡＩフォーカスＡＦモード（第３の制御モード）も選択できるものとする。
【００１７】
１２６は上記構成のデジタルカメラ１００を制御するマイクロコンピュータ（カメラマイコン）である。不揮発性メモリ１１９には、撮像処理を行うプログラム、画像処理を行うプログラム、記録媒体に作成された画像ファイルデータを記録媒体に記録するプログラムなどの各種プログラムなどが記録されている。また、上記プログラムのマルチタスク構成を実現し実行するＯＳなどの各種プログラム、及び各種制御を行うための調整値なども記録されている。
【００１８】
１２２は電源制御回路であり、電池検出回路、ＤＣ−ＤＣコンバータ、通電するブロックを切り換えるスイッチ回路等により構成されており、電池の装着の有無、電池の種類、電池残量の検出を行う。そして、検出結果及びカメラマイコン１２６の指示に基づいてＤＣ−ＤＣコンバータを制御し、必要な電圧を必要な期間、記録媒体を含む各部へ供給する。１２３はメモリカード等の記録媒体をコントロールする記録媒体制御回路、１２４はメモリカード等の記録媒体と接続を行うコネクタである。
【００１９】
１２５は、ストロボ装置２００とのインターフェースであり、カメラマイコン１２６とストロボマイコン２２０間で通信を可能にしているストロボ通信端子である。ストロボ通信端子は、発光開始信号を出力するＸ端子、後述のストロボマイコン２２０との通信クロックを出力するＳＣＬＫ端子、カメラマイコン１２６にストロボ装置２００が発光可否を伝達するためのＳＣＨＧ端子を有している。その他、ＳＣＬＫ端子に同期してカメラマイコン１２６からストロボマイコン２２０にデータを送信するＳＤＯ端子、ＳＣＬＫ端子に同期してストロボマイコンからカメラマイコン１２６にデータを受信するＳＤＩ端子も有している。３００は、メモリカードやハードディスク等の記録媒体であり、ここでは、記録媒体３００は半導体メモリで構成されたメモリカードとする。記録媒体３００は、デジタルカメラ１００との接続を行うコネクタ３０１、デジタルカメラ１００とのインタフェースであり記録部３０３を制御する記録部制御回路３０２、半導体メモリから構成される記録部３０３を備えている。
【００２０】
次に、本実施の形態におけるストロボ装置２００の構成に関して図２を用いて説明する。
【００２１】
２０１は電源であるところの電池、２０２は、電池電圧を数百Ｖに昇圧する昇圧回路、２０３は昇圧回路の出力である電気エネルギーを蓄積するメインコンデンサである。２０４、２０５はメインコンデンサ２０３の充電電圧検出に用いるメインコンデンサ２０３の電圧を所定比に分圧する抵抗であり、ストロボマイコン２２０のＡＤ入力端子に接続されている。２０６は発光手段である放電管、２０７は放電管２０６を励起させ発光させるトリガ発生回路、２０８は放電管２０６の発光を制御する発光制御回路である。
【００２２】
２０９はデータセレクタであり、Ｙ０、Ｙ１の２入力の組み合わせにより、Ｄ０、Ｄ１、Ｄ２を選択してＹに出力する。２１０はフラット発光の発光量制御用のコンパレータ、２１１は閃光発光時の発光量制御用のコンパレータ、２１４はフラット発光制御用の受光センサであるところのフォトダイオードであり、発光手段である放電管２０６の光出力をモニタする。２１２はフォトダイオード２１４に流れる微少電流を増幅すると共に光電流を電圧に変換する測光回路である。
【００２３】
２１５は閃光発光制御用の受光センサであるところのフォトダイオードであり、発光手段である放電管２０６の光出力をモニタする。２１３はフォトダイオード２１５に流れる光電流を対数圧縮するとともに放電管２０６の発光量を圧縮積分する為の積分回路である。
【００２４】
２１６はストロボの動作状態を表示するＬＣＤ等の表示部である。２１７はストロボ装置が所定の充電電圧レベル以上であり発光可能であることを表示する可能表示ＬＥＤ、２１８はストロボ装置が適正光量で発光したことを表示する調光表示ＬＥＤである。
【００２５】
２２０は上記構成のストロボ装置２００全体の動作を制御するマイクロコンピュータ（ストロボマイコン）であり、発光処理を行うプログラムや各種制御を行うための調整値、Ａ／Ｄ変換器などが内蔵されている。また、ストロボマイコン２２０は、メインコンデンサ２０３の充電電圧が所定電圧以上であれば発光制御回路２０８を制御して放電管２０６の発光を許可する。
【００２６】
２１９は、デジタルカメラ１００とのインターフェースであり、カメラマイコン１２６とストロボマイコン２２０間で通信を可能にしているストロボ通信端子である。ストロボ通信端子は、前述のデジタルカメラ１００からの発光開始信号を入力するＸ端子、前述のデジタルカメラ１００からの通信クロックを入力するＣＬＫ端子、カメラマイコン１２６にストロボ装置２００の発光可否を伝達するためのＣＨＧ端子を有している。その他、ＣＬＫ端子に同期してカメラマイコン１２６からデータを受信するＤＩ端子、ＣＬＫ端子に同期してストロボマイコン２２０からカメラマイコン１２６にデータを送信するＤＯ端子も有している。
【００２７】
次に、図３のフローチャートを用いて閃光補助光を用いた撮影処理のシーケンスについて説明する。
【００２８】
まず、ステップＳ３０１において、ＳＷ１が押され撮影処理が開始されると、ステップＳ３０２へ進む。ステップＳ３０２ではカメラマイコン１２６が焦点検出モードが補助光を使用するモードであるか否かを確認する。本実施の形態では、焦点検出を行い自動で焦点調節のためのレンズ駆動を行うオートフォーカスモードと、焦点検出を行わなわず自動で焦点調節のためのレンズ駆動を行わないマニュアルフォーカスモードが選択可能な構成にしている。オートフォーカスモードが選択されていればステップＳ３０４に進む。一方、マニュアルフォーカスモードが選択されている場合は補助光を照射しないのでステップＳ３０３に進む。
【００２９】
ステップＳ３０３に進むと、カメラマイコン１２６は、ストロボ通信端子１２５を介してストロボマイコン２２０に対して発光許可電圧レベルをＭ（第２の所定電圧）にするように指示する。一方、ステップＳ３０４に進むとカメラマイコン１２６は、ストロボ通信端子１２５を介してストロボマイコンに対して発光許可電圧レベルをＨ（第１の所定電圧）にするように指示する。ここで発光許可電圧レベルＨとＭに対応する電圧レベルは、Ｈ＞Ｍの関係がある。すなわち、Ｈの方が電圧レベルが高いことになる。
【００３０】
次にステップＳ３０５に進みカメラマイコン１２６はＳＣＨＧ端子を確認し、ストロボ装置２００の充電電圧が発光許可電圧レベル以上であるか否かを確認する。充電電圧が発光許可電圧レベル以上であればステップＳ３０６に進む。一方、充電電圧が発光許可電圧レベル未満であればステップＳ３０１に戻る。
【００３１】
ステップＳ３０６に進むと、オートフォーカスモードが選択されていれば測距回路１１７とレンズ制御回路１０１ａとにより、オートフォーカス制御を行い、フォーカシングレンズを合焦位置に制御する焦点検出処理を行う。焦点検出処理の詳細については図５、図６を用いて後述する。ステップＳ３０７では、カメラマイコン１２６は、ストロボ通信端子１２５を介してストロボマイコン２２０に対して発光許可電圧レベルをＭにするように指示する。なお、マニュアルフォーカスモードが選択されている場合は、Ｓ３０６、Ｓ３０７の処理を省略しても構わない。ステップＳ３０８では、測光回路１１８を用いて測光処理を行い、設定されている撮影モードに従いシャッタ制御値と絞り制御値を決定する。
【００３２】
次にステップＳ３０９に進み、レリーズスイッチＳＷ２が押されているか否かを確認する。ＳＷ２が押された場合には、ステップＳ３１０に進む。一方、ＳＷ２が押されていない場合は、ステップＳ３１２に進み、ＳＷ１が継続して押されているか否かを確認し、ＳＷ１が押されている場合は、ステップＳ３０９に戻りレリーズスイッチＳＷ２の確認が行われ、ＳＷ１が離された場合はステップＳ３０１に戻る。
【００３３】
次にステップＳ３１０では、カメラマイコン１２６はストロボ通信端子１２５を介してストロボマイコン２２０に予備発光時の発光強度と発光時間を指示し、公知のストロボ予備発光処理を行う。このとき、測光回路１１８を用いて測光も行う。次のステップＳ３１１に進み、カメラマイコン１２６は、ストロボ通信端子１２５を介してストロボマイコン２２０に対して発光許可電圧レベルをＬ（第３の所定電圧）にするように指示する。ここで発光許可電圧レベルのＭとＬの間には、Ｍ＞Ｌの関係がある。すなわち、Ｍの方が電圧レベルが高いことになる。
【００３４】
ステップＳ３１３に進むとミラー制御回路１１６に指示し、撮影光路外にクイックリターンミラー１０２を退避させる、いわゆるミラーアップを行う。次に、ステップＳ３１４で撮像素子１０５での電荷の蓄積が開始する。次にステップＳ３１５でシャッタ制御回路１１５に指示してシャッタを走行させる。
【００３５】
次にステップＳ３１６に進み、ステップＳ３０８の測光処理にて求めた測光結果とステップＳ３１０の予備発光処理で求めた測光結果とに基づき求めた発光量に従い、ストロボ装置２００の発光制御をして露光が行われる。このとき、カメラマイコン１２６はストロボ通信端子１２５を介してストロボ装置２００へ本発光時の発光強度と発光時間を指示する。
【００３６】
次にステップＳ３１７でシャッタ制御回路１１５に指示してシャッタを閉じ、次のステップＳ３１８で撮像素子１０５での電荷の蓄積を終了する。次のステップＳ３１９でクイックリターンミラーを撮影光路に戻すミラーダウンを行う。次のステップＳ３２０で、撮像素子１０５から画像信号を読み出し、Ａ／Ｄ変換器１０６及び画像処理回路１０７で処理した画像データをメモリ１１３に一時記憶する。撮像素子１０５から全ての画像信号の読み出しを行うと画像信号に対して所定の現像処理を施し、画像データを作成する。次のステップＳ３２１では、作成した画像データを記録媒体３００に画像ファイルとして記録して一連の撮影処理を終了する。
【００３７】
次に、図４に示すフローチャートを用いて、ストロボ装置２００の充電処理と充電電圧判定結果に基づきデジタルカメラ１００に発光の可否を伝達する処理について説明する。
【００３８】
ストロボ装置２００が起動されると、ステップＳ４０１においてメインコンデンサ２０３の分圧された電圧をストロボマイコン２２０に内蔵されているＡＤ変換器でＡＤ変換を行い、メインコンデンサ２０３の充電電圧を確認する。次のステップＳ４０２では、メインコンデンサ２０３の充電電圧が発光許可電圧レベル以上であればステップＳ４０３に進み、一方、充電電圧が発光許可電圧レベル未満であればステップＳ４０４に進む。
【００３９】
この発光許可電圧レベルは、ストロボ装置起動直後は発光許可電圧レベルＨが設定されるが、デジタルカメラ１００のシーケンスに合わせて、カメラマイコン１２６よりストロボ通信端子１２５を介した通信にて指示される。撮影処理中であれば、選択されている焦点検出モードに応じてカメラマイコン１２６より指示された発光許可電圧レベルＨ、Ｍに相当する電圧が比較電圧として設定される。ここで発光許可電圧レベルＨに相当する第１の所定電圧は、発光許可電圧レベルＭに相当する第２の所定電圧に対して焦点検出処理時に制御される補助光の発光によって生じるメインコンデンサの電圧降下量以上の電圧が加算された電圧が設定される。また、第２の所定電圧は、発光許可電圧レベルＬに相当する第３の所定電圧に対して予備発光による電圧降下量以上の電圧が加算された電圧が設定される。よって、第１の所定電圧は本発光可能な電圧に予備発光による電圧降下、閃光補助光による電圧降下量を加算した電圧と同じか、より高い電圧が設定される。
【００４０】
ステップＳ４０２の判定によりステップＳ４０３に進んだ場合は、ＣＨＧ端子を介してカメラマイコン１２６に対して発光可能であることを通知すると共に、発光可能であることを示す可能表示ＬＥＤを点灯しステップＳ４０５に進む。一方、ステップＳ４０４に進むとＣＨＧ端子を介してカメラマイコン１２６に対して発行が不可能であることを通知すると共に、発光不可能であることを示すため可能表示ＬＥＤを消灯しステップＳ４０５に進む。
【００４１】
ステップＳ４０５に進むとステップＳ４０２で確認したメインコンデンサ２０３の充電電圧がストロボ装置２００の充電電圧の充電上限電圧レベルＦ以上であるか確認する。この充電上限電圧レベルＦは発光許可電圧レベルＨよりも高い電圧レベルである。充電電圧が充電上限電圧レベルＦ以上の場合は充電完了としてステップＳ４０６に進み、充電を停止し充電処理を終了する。一方、充電電圧が充電上限電圧レベルＦより低い場合はステップＳ４０７に進み充電を開始、もしくは継続し、ステップＳ４０１に戻り一連の処理を繰り返す。
【００４２】
次に、図５に示すフローチャートを用いて、焦点検出処理について説明をする。
【００４３】
焦点検出処理が開始されると、ステップＳ５０１において補助光を照射せずに焦点検出を行う。そして、次のステップＳ５０２において、カメラマイコン１２６は補助光を照射せずに焦点検出ができたか否か判定を行い、焦点検出ができた場合、すなわち、焦点検出処理に補助光を照射する必要がない場合はステップＳ５０３へ進む。また、補助光を照射せずに焦点検出ができなかった場合はステップＳ５０６へ進み、補助光を照射して焦点検出処理を行う。補助光を照射しての焦点検出の詳細については図６で説明する。そして、ステップＳ５０７にて補助光を照射することで焦点検出ができた場合はステップＳ５０３進む。一方、補助光を照射しても焦点検出ができなかった場合はステップＳ５０８へ進み、焦点検出不可能として、ＬＥＤ等の表示部（不図示）を用いてその旨の表示を行い、焦点検出処理を終了する。
【００４４】
ステップＳ５０３へ進むと、焦点検出センサの信号を用いて焦点検出演算を行い、フォーカシングレンズの移動量（デフォーカス量）を算出する。続いてステップＳ５０４において、カメラマイコン１２６はステップＳ５０３において得られた演算結果によりフォーカシングレンズを移動させる必要があるか否かを判定し、デフォーカス量が所定値よりも小さい場合は焦点検出処理を終了する。また、所定値以上の場合はステップＳ５０５進み、ステップＳ５０３での演算結果を基にフォーカシングレンズを移動させる。その後はフォーカシングレンズ移動後にフォーカシングレンズが合焦点に達したかを判定するためにステップＳ５０１へ戻り、以下同様の動作を繰り返す。
【００４５】
次に、図６のフローチャートを用いて、図５のステップＳ５０６において実行される補助光を照射しての焦点検出処理について説明する。なお、図６のフローチャートの処理は主にカメラマイコン１２６が行う。
【００４６】
まず、ステップＳ６０１において、閃光補助光の照射回数を記憶するカウンタｉをクリアする。そして、次のステップＳ６０２において、カメラマイコン１２６は、ストロボ通信端子１２５を介してストロボマイコン２２０に対して閃光補助光の照射を指示し被写体方向に閃光を照射する。続くステップＳ６０３においては、閃光補助光を照射後、焦点検出センサによる電荷の蓄積量が所定値以上であるかの判定を行う。この結果、所定値以上の場合は、焦点検出演算が可能である確率が十分高いのでステップＳ６０４へ進み、補助光を照射しての焦点検出を終了する。この場合、焦点検出演算が可能として、図５のステップＳ５０３へ進む。
【００４７】
一方、ステップＳ６０３において、蓄積量が所定値未満の場合はステップＳ６０５へ進む。ステップＳ６０５ではカウンタｉが所定回数ｉｍａｘに達したかの判定を行い、所定回数ｉｍａｘに達していればステップＳ６０６へ進み、所定回数ｉｍａｘに達していなければステップＳ６０７へ進む。ステップＳ６０６に進んだ場合は、あらかじめ規定したｉｍａｘ  回補助光を照射しても、十分な蓄積量が得られなかった事を示している。この場合、焦点検出演算が不可能として、図５のステップＳ５０８に進む。一方、ステップＳ６０７へ進んだ場合は、閃光補助光の照射回数をカウントするためにカウンタｉをカウントアップし、ステップＳ６０２に戻り閃光補助光の照射を繰り返し焦点検出を継続する。
【００４８】
次に、撮影処理時の発光許可電圧レベルの変更に関して図７（Ａ）、（Ｂ）を用いて説明する。図７（Ａ）は閃光補助光ありの焦点検出処理を伴う撮影処理時の発光波形とメインコンデンサ２０３の充電電圧の変化、（Ｂ）は閃光補助光を行わない撮影処理時の発光波形とメインコンデンサ２０３の充電電圧の変化を表す図である。図７（Ａ）、（Ｂ）において、（ａ）は、閃光補助光、予備発光、本発光という撮影処理時の発光波形を示し、（ｂ）は、メインコンデンサ２０３の充電電圧を示し、（ｃ）は、発光許可電圧レベルを示している。また、図７（Ａ）、（Ｂ）に示された各発光によるメインコンデンサ２０３の充電電圧の低下量は、発光許可電圧レベルの変更に関する説明をわかりやすくするための値であって、実際の充電電圧の降下量と必ずしも対応しているものではない。
【００４９】
以下、前述した図３から図６のフローチャートと対応させて説明を行う。図７（Ａ）において、図６のステップＳ６０２で説明したように補助光ありの焦点検出処理によってｔ１のタイミングで閃光補助光の照射を開始すると、閃光補助光の照射とともにメインコンデンサ２０３の充電電圧が低下する。図７（Ａ）では、閃光補助光の照射回数がｉｍａｘ＝８回である場合を示しており、８回の照射によってｔ２のタイミングにメインコンデンサ２０３の充電電圧が発光許可電圧レベルＨに相当する第１の所定電圧を下回る。この場合、閃光補助光ありの焦点検出処理の終了後に発光が許可されない状態となってしまう。そこで、焦点検出処理が終了したステップＳ３０７に対応するｔ３のタイミングで発光許可電圧レベルをＭに設定する。そうすることで、メインコンデンサ２０３の充電電圧は発光許可電圧レベルＭに相当する第２の所定電圧を上回る。よって、予備発光が可能な状態となりステップＳ３１０に対応するｔ４のタイミングで予備発光が可能となる。
【００５０】
ｔ４のタイミングで予備発光を開始すると、予備発光とともにメインコンデンサ２０３の充電電圧が低下し、ｔ５のタイミングで発光許可電圧レベルＭに相当する第２の所定電圧を下回る。この場合、予備発光終了後に発光が許可されない状態となってしまう。そこで、予備発光終了後のステップＳ３１１に対応するｔ６のタイミングで発光許可電圧レベルをＬに設定する。そうすることで、メインコンデンサ２０３の充電電圧は発光許可電圧レベルＬに相当する第３の所定電圧を上回る。よって、本発光が可能な状態となりステップＳ３１６に対応するｔ７のタイミングで本発光を行う。なお、本発光終了後は、次の撮影処理のために発光許可電圧レベルをＨに戻す。
【００５１】
図７（Ｂ）は、閃光補助光を行わない場合の撮影処理時の発光波形とメインコンデンサ２０３の充電電圧を変化を示す図である。なお、図７（Ｂ）は、メインコンデンサ２０３が十分に充電されていない状態であってストロボ装置２００が充電処理中である場合を示している。
【００５２】
図７（Ｂ）において、ステップＳ３０２で説明したようにマニュアルフォーカスモードが選択され閃光補助光を発光する必要ない場合はｔ１’のタイミングで発光許可電圧レベルをＭに設定する。その後、ストロボ装置２００は図４で説明した充電処理を継続するとともに、デジタルカメラ１００はステップＳ３０５においてメインコンデンサ２０３の充電電圧が発光許可電圧レベル以上であるか否か、すなわちストロボ装置２００が発光可能か否かを確認する。ｔ３’のタイミングでメインコンデンサ２０３の充電電圧が発光許可電圧レベルＭに相当する第２の所定電圧を上回ると予備発光が可能となる。ここで、もし閃光補助光を行うか否かによらず発光許可電圧レベルがＨに設定されていると、ｔ３’のタイミングでメインコンデンサ２０３の充電電圧が発光許可電圧レベル以上にならず、予備発光が可能となるタイミングが遅れることになる。しかしながら、図７（Ｂ）のように発光許可レベルを制御することで、充電から予備発光の開始までに要する時間を短縮することができ、より撮影者の意図したタイミングで撮影することができる。以下、予備発光後の処理は図７（Ａ）で説明したものと同じである。
【００５３】
以上のように、図７（Ａ）に示したように発光許可電圧レベルを制御することで、焦点検出処理のために補助光を照射することでメインコンデンサ２０３の充電電圧が低下しても適切なストロボ撮影が行うことができる。
【００５４】
また、図７（Ｂ）に示したように発光許可電圧レベルを制御することで、メインコンデンサ２０３の充電電圧が低下した状態において撮影処理が開始された場合でも、必要以上に充電を行わないようにすることで撮影間隔を短くすることができる。
【００５５】
以上のように、本実施の形態では、焦点検出のための発光（補助光）と撮影のための発光（予備発光、本発光）の発光許可電圧レベルを変更可能な構成とし、補助光を照射するか否かによって発光許可電圧レベルを変更している。このとき、補助光の発光許可電圧レベルは、撮影のための発光が可能な発光許可電圧レベルより高くしている。例えば、予備発光の発光許可電圧レベルＭに対して閃光補助光の発光によるメインコンデンサの電圧降下量以上の電圧を加算した電圧レベルを補助光の発光許可電圧レベルＨとして設定している。言い換えると、補助光の発光許可電圧レベルＨに対して閃光補助光の発光によるメインコンデンサの電圧降下量以上の電圧を減算した電圧レベルが予備発光の発光許可電圧レベルＭとなる。また、補助光発光後には発光許可電圧レベルを予備発光が可能な発光許可電圧レベルＭに設定している。このような制御により、焦点検出のために補助光を発光した場合であっても、それに続く撮影のための予備発光、本発光も発光可能にすることができる。
【００５６】
また、補助光を使用しない場合、発光許可電圧レベルを補助光が発光可能な電圧レベルより低い発光許可電圧レベルＭに設定するので、ストロボ装置の発光を伴う撮影が連続した場合に必要以上に充電しなくても発光することが可能となる。そのため、連続ストロボ発光撮影の間隔を短くすることが可能となり、ストロボ装置を用いた連続撮影においても、より撮影者の意図したタイミングで撮影することができる。
【００５７】
なお、本実施の形態では、補助光が必要か否かの判定条件として焦点検出モードがオートフォーカスモードかマニュアルフォーカスモードかで判定するように構成しているが、焦点検出モードに限られるわけではない。例えば、ユーザが任意に補助光を利用するか否かを設定できる場合は、この設定に応じて判定するような構成も可能である。
【００５８】
また、補助光を使用するモードであるか否かを確認した後に発光許可電圧レベルを設定する構成としているが、補助光を使用するモードの場合、焦点検出の前に測光を行いその結果に基づいて補助光が必要であるか否かを判断し発光許可電圧レベルを設定してもよい。
【００５９】
また、撮影者が本発光量を任意に設定できるマニュアル発光モードのような予備発光を行わずに本発光を行うモードを備えている場合、そのようなモードが設定されていれば発光許可電圧レベルをＭに設定しないように制御してもよい。例えば、図７（Ａ）のような場合、焦点検出処理が終了したステップＳ３０７に対応するｔ３のタイミングで発光許可電圧レベルをＭではなくＬに設定すしてもよい。また、図７（Ｂ）のような場合、ｔ１’のタイミングで発光許可電圧レベルをＭではなくＬに設定することで、充電電圧が発光許可電圧レベルを上回るまで要する時間を更に短縮することができ、より撮影者の意図したタイミングで撮影することができる。
【００６０】
また、予備発光を行わずに本発光を行うモードが設定された場合、予備発光による充電電圧の低下を考慮する必要がないため、図７（Ｃ）のように、補助光の発光を許可する発光許可電圧レベルをＨ’（第４の所定電圧）に設定してもよい。発光許可電圧レベルＨ’に相当する第４の所定電圧は、発光許可電圧レベルＬに相当する第３の所定電圧に対して焦点検出処理時に制御される補助光の発光によって生じるメインコンデンサの電圧降下量以上の電圧が加算された電圧が設定される。すなわち、第４の所定電圧は本発光可能な電圧に閃光補助光による電圧降下量を加算した電圧と同じか、より高い電圧レベルが設定される。なお、第４の所定電圧は予備発光による電圧降下量を加算する必要がないため、第１の所定電圧よりも低い電圧にすることができる。したがって、図７（Ｃ）のように、充電電圧が発光許可レベルＨに達しなくても補助光を発光することができ、かつ、補助光発光に続いて本発光を充電せずに行うことができるので、充電不足の状態においてストロボ撮影を行うまでに要する時間を短縮できる。
【００６１】
（第２の実施の形態）
次に、本発明にかかる第２の実施の形態について説明する。なお、本実施の形態のストロボ撮影システムにおける撮像装置およびストロボ装置の構成は、第１の実施の形態と同様であるので説明を省略する。
【００６２】
なお、本実施の形態では、第１の実施の形態と異なり、設定されたＡＦ制御モードに応じて発光許可電圧レベルを変更する。
【００６３】
図８のフローチャートを用いて第２の実施の形態における閃光補助光を用いた撮影処理のシーケンスについて説明する。なお、図３における番号と同じ番号のステップについては、図３と同様の処理が実行されるため、詳しい説明は省略する。また、図８では、連続してストロボ撮影を行う場合の処理について説明する。
【００６４】
まず、ステップＳ８０１において、カメラの動作を開始するとカメラマイコン１２６は連続撮影回数をカウントするカウンタｎを０にリセットする。また、カウンタｎは連続撮影される毎にカウントされ、レリーズスイッチがオフになった場合にも０にリセットされる。ステップＳ３０１において、ＳＷ１が押され撮影処理が開始されると、ステップＳ８０２へ進む。ステップＳ８０２では、カメラマイコン１２６は連続撮影回数をカウントするカウンタｎが０であるか否かを確認し、カウンタｎが０である場合は、ステップＳ８０３に進む。一方、カウンタｎが０でない場合、すなわち連写中である場合は、ステップＳ３０３に進む。
【００６５】
ここで、連写中（連続撮影における２回目以降の撮影）は設定されたＡＦ制御モードがワンショットＡＦモードであれば、前回のＡＦ結果を使用するので焦点検出処理を行わない。また、ＡＩサーボＡＦモード、ＡＩフォーカスＡＦモードのどちらが設定された場合も本実施の形態では補助光を照射しない。よって、ステップＳ３０３では、カメラマイコン１２６は、ストロボ通信端子１２５を介してストロボマイコン２２０に対して発光許可電圧レベルをＭにするように指示する。一方、ステップＳ８０３に進むとカメラマイコン１２６は設定されたＡＦ制御モードがＡＩサーボＡＦモードであるか否かを判定する。
【００６６】
設定されたＡＦ制御モードがＡＩサーボＡＦモードである場合、補助光を照射しないのでステップＳ３０３に進む。なお、ＡＩサーボＡＦモードが設定されている場合に補助光を照射しないのは、ＡＩサーボＡＦモード中は撮影準備動作を開始してから撮影指示がされるまで焦点検出を繰り返し行うため、焦点検出を行うたびに補助光を照射しなければならないからである。繰り返し行われる焦点検出のたびに補助光を照射すると、電池の消耗が激しく撮影時に発光できる回数が減少してしまう。そのため、本実施の形態では、ＡＩサーボＡＦモードが設定されている場合は連続撮影回数に係わらず補助光を照射しない構成としている。
【００６７】
一方、設定されたＡＦ制御モードがワンショットＡＦモードである場合、連続撮影における最初の撮影時には前回のＡＦ結果を使用することができないため焦点検出処理を行わなければならず、補助光を照射する可能性がある。そのため、ステップＳ３０４に進む。また、設定されたＡＦ制御モードがＡＩフォーカスＡＦモードの場合、連続撮影における最初の撮影時にはワンショットＡＦモードと同様の焦点検出処理を行うため補助光を照射する可能性がある。よってステップＳ３０４に進む。
【００６８】
そして、Ｓ３２１まで第１の実施の形態と同様の撮影処理が行われ、その後、Ｓ８０４においてカメラマイコン１２６は連続撮影回数をカウントするｎをカウントアップし、ステップＳ３０１に戻る。以下、同様の動作を繰り返す。
【００６９】
以上のように、本実施の形態では、連続してストロボ撮影を行う場合、最初の撮影時のみＡＦ制御モードによって補助光を照射する可能があるので発光許可電圧レベルを設定されたＡＦ制御モードに応じて変更している。
【００７０】
なお、本実施の形態では、レリーズスイッチの押下によって焦点検出処理を実行するように構成しているが、レリーズスイッチ以外に焦点検出処理を実行する操作手段（ＡＦボタン）を設けてる撮像装置であっても適応できる。例えば、ＡＦボタンが押下中はＡＦロック状態となり、レリーズスイッチが押され続けている場合と同様に発光許可電圧レベルの処理を行うようにすればよい。
【００７１】
以上のように、本実施の形態では、焦点検出のための発光（補助光）と撮影のための発光（予備発光、本発光）の発光許可電圧レベルをＡＦ制御モードに応じて変更可能な構成としている。さらには、撮影処理が連続して行われる場合に、最初の撮影か２回目以降の撮影かによっても発光許可電圧レベルを変更可能な構成としている。
【００７２】
そのため、連続ストロボ発光撮影の間隔を短くすることが可能となり、より撮影者の意図したタイミングで撮影することができる。
【００７３】
なお、上述の２つの実施の形態では、ストロボ撮影システムを撮像装置とストロボ装置が別々の装置である構成としたが、このような構成に関らず、撮像装置本体にストロボ装置が内蔵された構成であっても適応できるものである。
【００７４】
また、撮像装置とストロボ装置が別々の装置であって、ストロボ装置を撮像装置に装着せずにスレーブストロボとして用いる場合であっても、撮像装置とストロボ装置との間で光通信などを行うことで本発明を適応できるものである。
【００７５】
また、レンズユニットは着脱可能でなくてもよく、撮像装置と一体であってもよい。
【００７６】
また、発光許可電圧レベルを補助光発光許可レベル、予備発光許可レベル、本発光許可レベルの三段階設けたが別にこれに限るわけではなく、少なくとも補助光発光許可レベルを設けるように構成にすればよい。
【００７７】
また、図３および図８に示した撮影処理において、本発明に係る処理についてカメラマイコン１２６ではなくストロボマイコン２２０で行う構成としてもよい。例えば、図３のステップＳ３０２でストロボ通信端子１２５を介してカメラマイコン１２６から受信した情報に基づき焦点検出モードが補助光を使用するモードであるか否かを判断し、判断結果に基づいて発光許可電圧レベルを設定するようにすればよい。
【図面の簡単な説明】
【００７８】
【図１】本発明の第１の実施の形態におけるストロボ撮影システムの構成を示すブロック図
【図２】本発明の第１の実施の形態におけるストロボ装置の構成を示すブロック図
【図３】本発明の第１の実施の形態における撮影処理を示すフローチャート
【図４】本発明の第１の実施の形態におけるストロボ充電処理を示すフローチャート
【図５】本発明の第１の実施の形態における焦点検出処理を示すフローチャート
【図６】本発明の第１の実施の形態における補助光を用いた焦点検出処理を示すフローチャート
【図７】本発明の第１の実施の形態における撮影処理時の発光波形とメインコンデンサの充電電圧の変化を表す図
【図８】本発明の第２の実施の形態における撮影処理を示すフローチャート
【符号の説明】
【００７９】
１００  デジタルカメラ
１０１  レンズユニット
１０２  クイックリターンミラー
１０３  シャッタ
１０４  光学フィルタ
１０５  撮像素子
１０６  Ａ／Ｄ変換器
１０７  画像処理回路
１０８  タイミング発生回路
１０９  表示制御回路
１１０  表示部
１１１  メモリ制御回路
１１２  画像表示メモリ
１１３  メモリ
１１４  圧縮／伸長回路
１１５  シャッタ制御回路
１１６  ミラー制御回路
１１７  測距制御回路
１１８  測光制御回路
１１９  不揮発性メモリ
１２０  レリーズスイッチ
１２１  メニュー操作スイッチ
１２２  電源制御回路
１２３  記録媒体制御回路
１２４  コネクタ
１２５    ストロボ通信端子
１２６  カメラマイコン
２００  ストロボ装置
２０１  電池
２０２  昇圧回路
２０３  メインコンデンサ
２０４  分圧抵抗
２０５  分圧抵抗
２０６  放電管
２０７  トリガ発生回路
２０８  発光制御回路
２０９  データセレクタ
２１０  コンパレータ
２１１  コンパレータ
２１２  測光回路
２１３  積分回路
２１４  フォトダイオード
２１５  フォトダイオード
２１６  表示部
２１７  可能表示ＬＥＤ
２１８  調光ＬＥＤ
２２０  ストロボマイコン
３００  記録媒体
３０１  コネクタ
３０２  記録部制御回路
３０３  記録部
【図１】
2010175622.tif 000003
【図２】
2010175622.tif 000004
【図３】
2010175622.tif 000005
【図４】
2010175622.tif 000006
【図５】
2010175622.tif 000007
【図６】
2010175622.tif 000008
【図７】
2010175622.tif 000009
【図８】
2010175622.tif 000010